(57)【特許請求の範囲】
【請求項１】
それぞれに外部接続機器が接続され外部接続機器から信号を入力する複数の外部入力端子と、映像を表示する映像表示手段とを有する映像機器において、
各外部機器および当該映像機器の遠隔指令信号送信器から送信される信号を受信する受信手段と、
ユーザの操作に応じて、外部接続機器の遠隔指令信号送信器が送信する電力供給開始を示す指令信号を示す情報を前記メモリ手段に記憶させることを示す登録指示信号を出力する指令信号登録指示手段と、
ユーザが指定した外部入力端子を示す情報を把握する外部入力端子情報把握手段と、
前記指令信号登録指示手段から登録指示信号が出力された場合に、前記外部入力端子情報把握手段が把握した外部入力端子を示す情報を第１の情報とし、外部接続機器の遠隔指令信号送信器から受信した電力供給開始を示す指令信号を示す情報を第２の情報として、第１の情報と第２の情報とを対応させてメモリ手段に記憶させる登録手段と、
前記受信手段が外部接続機器の遠隔指令信号送信器から電力供給開始を示す指令信号を受信したときに、その指令信号と前記メモリ手段に記憶されている第２の情報が示す指令信号とが一致するか否か判定する判定手段と、
前記判定手段が一致すると判定した場合に、受信された指令信号に対応する第１の情報が示す外部入力端子を、前記映像表示手段が表示する映像のもとになる信号が入力される外部入力端子として選択する入力切り替え手段と、
外部接続機器の遠隔指令信号送信器から電力供給開始を示す指令信号を受信した場合に、当該映像機器が待機状態にあったときには、当該映像機器に対する電力供給を開始する電力供給制御手段と、
前記判定手段が外部接続機器の遠隔指令信号送信器から受信された電力供給開始を示す指令信号と前記メモリ手段に記憶されている第２の情報が示す指令信号とが一致すると判定した場合に、入力切り替え手段による外部入力端子の選択順序を示す第３の情報とを前記メモリ手段に記憶させる管理手段とを備え、
前記管理手段は、外部接続機器の遠隔指令信号送信器から電力供給停止を示す指令信号を受信した場合には、前記メモリ手段に記憶されている第３の情報が示す選択順序を逆方向にたどって特定される外部入力端子であって、外部接続機器が接続されている外部入力端子以外の他の外部入力端子を選択するように前記入力切り替え手段に指示を与える
ことを特徴とする映像機器。
【請求項２】
電力供給制御手段は、映像表示手段に電力供給がなされているか否かによって、当該映像機器が待機状態にあるか否か判定する
請求項１記載の映像機器。
【請求項３】
登録手段は、指令信号登録指示手段から登録指示信号が出力されない場合には、外部接続機器の遠隔指令信号送信器から指令信号を受信しても、メモリ手段に第１の情報および第２の情報を記憶させない
請求項１または請求項２記載の映像機器。
【請求項４】
映像信号を入力するチューナ手段を備え、
管理手段は、
判定手段が外部接続機器の遠隔指令信号送信器から受信された電力供給開始を示す指令信号とメモリ手段に記憶されている第２の情報が示す指令信号とが一致すると判定した場合に、当該映像機器が待機状態にあるのか当該映像機器に電力供給がなされている状態であるのかを示す第４の情報を前記メモリ手段に記憶させ、
第３の情報が示す選択順序を逆方向にたどって特定される他の外部入力端子が存在せず、かつ、第４の情報が当該映像機器に電力供給がなされている状態であることを示しているときには、前記チューナ手段を、映像表示手段が表示する映像のもとになる信号が入力される手段として選択するように入力切り替え手段に指示を与え、
第３の情報が示す選択順序を逆方向にたどって特定される外部入力端子が存在せず、かつ、第４の情報が当該映像機器が待機状態にあることを示しているときには、当該映像機器を待機状態に設定する
請求項１記載の映像機器。
【発明の詳細な説明】
【技術分野】
【０００１】
本発明は、複数の外部入力端子を有する映像機器に関し、特に、映像信号を入力する外部入力端子を容易に選択できる映像機器に関する。
【背景技術】
【０００２】
テレビジョン受信機等の映像機器として、ビデオカセットレコーダ、ＤＶＤプレーヤ、ＨＤＤレコーダ、ＢＳデジタルチューナ等の外部接続機器を接続できる複数の外部入力端子を備えるものが増えている。また、映像機器および外部接続機器の機能は豊富になっているが、各機能を実現させるためのユーザの操作は、赤外線等を利用したリモートコントローラ（以下、リモコンという。）を用いて行われることが多い。
【０００３】
ユーザは、複数の外部入力端子を有する映像機器のいずれかの外部入力端子に接続された外部接続機器が出力する映像を視聴したい場合、まず、映像機器のリモコンの電源オンのボタンを押す。また、映像機器の複数の外部入力端子から、外部接続機器が接続された外部入力端子をリモコン操作で選択する。さらに、外部接続機器のリモコン操作で外部接続機器の電源オンや再生を指示することにより、所望の映像を映像機器で視聴することができる。このように、外部入力端子に接続された外部接続機器が出力する映像を映像機器で視聴するときに、ユーザは、複数のリモコンで操作を行う必要があり、かつ、リモコンにおいて多数回のボタン操作を行う必要がある。
【０００４】
ボタン操作回数を削減する方法として、外部入力端子に接続された外部接続機器の再生のリモコンコードと、接続されている外部入力端子番号とを対比させた情報をテレビジョン受信機に保存しておき、外部接続機器の再生ボタンが押された場合、テレビジョン受信機がそのリモコンコードを受信し、該当する外部接続機器が接続された外部入力端子からの映像に切り換える方法がある（例えば、特許文献１参照。）。
【０００５】
また、テレビジョン受信機の電源オンのリモコンコードと、該当する外部接続機器が接続された外部入力端子の選択リモコンコードと、外部接続機器（例えば、ビデオカセットレコーダ）の再生リモコンコードとを関連づけた情報をテレビジョン受信機に保存しておく方法がある。その方法を使用する場合、外部接続機器の再生ボタンが押されたときに、テレビジョン受信機がそのリモコンコードを受信し、テレビジョン受信機の電源をオンし、該当する外部接続機器が接続された外部入力端子からの映像に切り換える（例えば、特許文献２参照。）。
【０００６】
【特許文献１】特開平１１−２７５７７号公報（段落００１８−００３１、図１）
【特許文献２】特開平５−２３６２９４号公報（段落０００６−０００９、図１）
【発明の開示】
【発明が解決しようとする課題】
【０００７】
特許文献１に記載されている方法では、ユーザは、外部接続機器の再生ボタンを押す前に、テレビジョン受信機の電源がオンされているか確認する必要がある。そして、テレビジョン受信機の電源がオンされていなければ、ユーザは、まず、テレビジョン受信機のリモコンで電源オンボタンを押してから、外部接続機器のリモコンの再生ボタンを押す必要がある。
【０００８】
特許文献２に記載されている方法では、外部接続機器のリモコンと、テレビジョン受信機のリモコンの両方を使用して、テレビジョン受信機の電源オンのリモコンコードと、該当する外部接続機器が接続された外部入力端子の選択リモコンコードと、外部接続機器（例えば、ビデオカセットレコーダ）の再生リモコンコードとを関連づけた情報を、テレビジョン受信機に保存する必要がある。この関連づけた情報を登録する作業は煩雑であった。
【０００９】
本発明は、上記の課題を解決するための発明であって、ユーザが希望する外部接続機器が出力する映像を、簡単な操作で、的確に表示することが可能になる映像機器を提供することを目的とする。
【課題を解決するための手段】
【００１０】
本発明による映像機器は、各外部機器および映像機器の遠隔指令信号送信器（例えば、リモートコントローラ）から送信される信号を受信する受信手段（例えば、リモコン赤外線受光部１８）と、ユーザの操作に応じて、外部接続機器の遠隔指令信号送信器が送信する電力供給開始を示す指令信号を示す情報をメモリ手段に記憶させることを示す登録指示信号を出力する指令信号登録指示手段（例えば、リモコンコード登録ボタン１９）と、ユーザが指定した外部入力端子を示す情報を把握する外部入力端子情報把握手段（例えば、制御部１６）と、指令信号登録指示手段から登録指示信号が出力された場合に、外部入力端子情報把握手段が把握した外部入力端子を示す情報を第１の情報とし、外部接続機器の遠隔指令信号送信器から受信した電力供給開始を示す指令信号を示す情報を第２の情報として、第１の情報と第２の情報とを対応させてメモリ手段に記憶させる登録手段（例えば、制御部１６）と、受信手段が外部接続機器の遠隔指令信号送信器から電力供給開始を示す指令信号を受信したときに、その指令信号とメモリ手段に記憶されている第２の情報が示す指令信号とが一致するか否か判定する判定手段（例えば、制御部１６）と、判定手段が一致すると判定した場合に、受信された指令信号に対応する第１の情報が示す外部入力端子を、映像表示手段が表示する映像のもとになる信号が入力される外部入力端子として選択する入力切り替え手段（例えば、切り換え回路部１３）と、外部接続機器の遠隔指令信号送信器から電力供給開始を示す指令信号を受信した場合に、当該映像機器が待機状態にあったときには、当該映像機器に対する電力供給を開始する電力供給制御手段と、判定手段が外部接続機器の遠隔指令信号送信器から受信された電力供給開始を示す指令信号とメモリ手段に記憶されている第２の情報が示す指令信号とが一致すると判定した場合に、入力切り替え手段による外部入力端子の選択順序を示す第３の情報とをメモリ手段に記憶させる管理手段とを備え、管理手段は、外部接続機器の遠隔指令信号送信器から電力供給停止を示す指令信号を受信した場合には、メモリ手段に記憶されている第３の情報が示す選択順序を逆方向にたどって特定される外部入力端子であって、外部接続機器が接続されている外部入力端子以外の他の外部入力端子を選択するように入力切り替え手段に指示を与えることを特徴とする。
【００１２】
電力供給制御手段が、映像表示手段に電力供給がなされているか否かによって、映像機器が待機状態にあるか否か判定するように構成されていてもよい。
【００１３】
登録手段が、指令信号登録指示手段から登録指示信号が出力されない場合には、外部接続機器の遠隔指令信号送信器から指令信号を受信しても、メモリ手段に第１の情報および第２の情報を記憶させないように構成されていることが好ましい。
【００１６】
管理手段が、判定手段が外部接続機器の遠隔指令信号送信器から受信された電力供給開始を示す指令信号とメモリ手段に記憶されている第２の情報が示す指令信号とが一致すると判定した場合に、当該映像機器が待機状態にあるのか当該映像機器に電力供給がなされている状態であるのかを示す第４の情報をメモリ手段に記憶させ、第３の情報が示す選択順序を逆方向にたどって特定される外部入力端子が存在せず、かつ、第４の情報が映像機器に電力供給がなされている状態であることを示しているときには、チューナ手段（例えば、チューナ部１２）を、映像表示手段が表示する映像のもとになる信号が入力される手段として選択するように入力切り替え手段に指示を与え、第３の情報が示す選択順序を逆方向にたどって特定される外部入力端子が存在せず、かつ、第４の情報が映像機器が待機状態にあることを示しているときには、映像機器を待機状態に設定するように構成されていてもよい。そのような構成によれば、第３の情報および第４の情報にもとづいて、映像機器の電力供給状態の状態も、入力切り替え手段の選択処理が実行された時点よりも前の状態に戻すことができる。
【発明の効果】
【００１７】
本発明によれば、映像機器が、ユーザの操作に応じて指令信号登録指示手段から登録指示信号が出力された場合に、外部入力端子情報把握手段が把握した外部入力端子を示す情報を第１の情報とし、外部接続機器の遠隔指令信号送信器から受信した電力供給開始を示す指令信号を示す情報を第２の情報として、第１の情報と第２の情報とを対応させてメモリ手段に記憶させる登録手段と、受信手段が外部接続機器の遠隔指令信号送信器から電力供給開始を示す指令信号を受信したときに、その指令信号とメモリ手段に記憶されている第２の情報が示す指令信号とが一致するか否か判定する判定手段と、判定手段が一致すると判定した場合に、受信された指令信号に対応する第１の情報が示す外部入力端子を、映像表示手段が表示する映像のもとになる信号が入力される外部入力端子として選択する入力切り替え手段とを備えているので、ユーザが希望する外部接続機器が出力する映像を、簡単な操作で映像表示手段に表示させることができる上に、外部入力端子に信号が入力されたことを検出したり外部接続機器からの指令信号を受信しただけで指令信号を登録する場合に比べて、指令信号の誤登録の可能性を低減できる。すなわち、ユーザが意図しない指令信号が登録される可能性を低減できる。また、外部接続機器の遠隔指令信号送信器から電力供給開始を示す指令信号を受信した場合に、当該映像機器が待機状態にあったときには、当該映像機器に対する電力供給を開始する電力供給制御手段と、判定手段が外部接続機器の遠隔指令信号送信器から受信された電力供給開始を示す指令信号とメモリ手段に記憶されている第２の情報が示す指令信号とが一致すると判定した場合に、入力切り替え手段による外部入力端子の選択順序を示す第３の情報とをメモリ手段に記憶させる管理手段を備え、管理手段が、外部接続機器の遠隔指令信号送信器から電力供給停止を示す指令信号を受信した場合には、メモリ手段に記憶されている第３の情報が示す選択順序を逆方向にたどって特定される外部入力端子であって、外部接続機器が接続されている外部入力端子以外の他の外部入力端子を選択するように入力切り替え手段に指示を与えるので、外部入力端子の選択順序の履歴がメモリ手段に残り、その履歴を用いて、映像機器の状態を、入力切り替え手段の選択処理が実行された時点よりも前の状態に戻すことができる。
【発明を実施するための最良の形態】
【００１８】
実施の形態１．
図１は、本発明によるテレビジョン受信機の第１の実施形態の回路構成を示すブロック図である。図１に示す構成では、映像機器であるテレビジョン受信機は、テレビジョン映像信号を受信するアンテナ１１からの信号を受けるチューナ部１２と、外部接続機器からの映像信号を入力するための外部入力端子１、外部入力端子２および外部入力端子３と、チューナ部１２の出力または外部入力端子１〜３のうちの一つを選択して、選択した外部入力端子からの映像信号を出力する切り換え回路部１３と、切り換え回路部１３からの映像信号を映像表示部（映像表示手段）１５に適した信号に変換したり、映像表示装置１５の画面上に文字などを表示させるオンスクリーンディスプレイ機能を持った映像信号処理回路部１４と、液晶パネルまたはブラウン管等の映像表示部１５と、チューナ部１２のチャンネル選択、切り換え回路部１３の外部入力端子の選択および映像信号処理回路部１４の制御等を行う制御部１６と、リモコンコード等の情報を保存しておくメモリ部１７と、リモコン（図示せず）からの赤外線信号を受光するリモコン赤外線受光部１８と、外部接続機器のリモコンコードを保存させるための操作を行うリモコンコード登録ボタン１９と、外部接続機器のリモコンコードをメモリ１７から消去するリモコンコード消去ボタン２０とを備えている。なお、リモコンとして、映像機器に赤外線信号を送信するリモコン（映像機器のリモコン）と、本来それぞれの外部接続機器に赤外線信号を送信するそれぞれのリモコン（外部接続装置のリモコン）とがある。そして、映像機器のリモコン赤外線受光部１８は、それぞれの外部接続機器のリモコンからの赤外線信号も受信可能である。また、ここでは、指令信号（例えば、リモコンコード）を送信する遠隔指令信号送信器として赤外線信号を送信するリモコンを例示するが、遠隔指令信号送信器は、赤外線信号を送信するリモコンに限られず、例えば、電波を発信するようなものであってもよい。
【００１９】
リモコンコード登録ボタン１９とリモコンコード消去ボタン２０は、制御部１６に接続されている。ユーザがリモコンコード登録ボタン１９を押すと、制御部１６は、リモコンコード登録ボタン１９が押されたことを検出し、外部入力端子１、外部入力端子２または外部入力端子３に接続された外部接続機器のリモコンコード（例えば、外部接続機器の電源オンを指示するリモコンコードであるが、再生操作のリモコンコード等であってもよい）をメモリ部１７に登録するための処理を実行する。その処理が実行されると、メモリ部１７には、外部接続機器のリモコンコードと、その外部接続機器が外部入力端子１、外部入力端子２または外部入力端子３のいずれに接続されているかの情報が保存される。
【００２０】
ユーザがリモコンコード消去ボタン２０を押した場合には、制御部１６は、リモコンコード消去ボタン２０が押されたことを検出し、メモリ部１７に保存されている外部接続機器のリモコンコードとその外部接続機器が外部入力端子１、外部入力端子２または外部入力端子３のいずれに接続されているかの情報が消去される。なお、リモコンコード登録ボタン１９とリモコンコード消去ボタン２０の機能を、映像機器のリモコンボタンに割り振ってもよい。
【００２１】
チューナ部１２、切り換え回路部１３および映像信号処理回路部１４は、双方向バス２２で制御部１６に接続され、制御部１６からの指令信号に従って制御を実行する。
【００２２】
リモコン赤外線受光部１８は、制御部１６に接続されている。そして、リモコン赤外線受光部１８は、映像機器のリモコンから送信された赤外線信号を受信し、受信した赤外線信号に応じたリモコンコードを制御部１６に出力する。制御部１６は、リモコン赤外線受光部１８が出力したリモコンコードを入力し、入力したリモコンコードに該当する動作処理を行う。例えば、ユーザが、テレビジョンチャンネルを切り換えるために、映像機器のリモコンに対してチャンネルを切り換える操作を行った場合、リモコン赤外線受光部１８は、映像機器のリモコンからの赤外線信号を受信し、受信した赤外線信号に応じたチャンネル切り換えを示すリモコンコードを制御部１６に出力する。制御部１６は、リモコンコードに従ってチューナ部１２に対してチャンネルを切り換える指令信号を出力する。チューナ部１２はその指令信号に従ってチャンネルを切り換える。
【００２３】
制御部１６は、チューナ部１２、切り換え回路部１３、映像信号処理回路部１４および映像表示部１５の電源制御を行うことができ、映像機器のリモコン操作によって映像機器に電力供給を遮断するリモコンコードに応じた赤外線信号が送信された場合には、チューナ部１２、切り換え回路部１３、映像信号処理回路部１４および映像表示部１５への電力供給を遮断する制御を行い、待機状態（スタンバイ状態）となる。スタンバイ状態とは、映像機器においてリモコンコードを受信するための部分およびメモリ部１７のみに電力供給がなされている状態である。また、スタンバイ状態でない状態が、映像機器に電力供給がなされている状態（電源オン状態）である。
【００２４】
スタンバイ状態では、制御部１６、メモリ部１７およびリモコン赤外線受光部１８にのみ電源が供給されている。スタンバイ状態において、映像機器のリモコン操作により映像機器に電力供給を開始するリモコンコードに応じた赤外線信号が送信されると、制御部１６は、チューナ部１２、切り換え回路部１３、映像信号処理回路部１４および映像表示部１５への電力供給を開始して、映像表示部１５の画面表示が可能な状態とする。従って、制御部１６は、映像機器に対する電力供給を開始する電力供給制御手段の役割を果たす。なお、リモコン赤外線受光部１８と制御部１６との間に、電源制御回路を設置してもよい。その場合には、リモコン赤外線受光部１８が電力供給を遮断するリモコンコードに応じた赤外線信号を受信すると、その旨を電源制御回路に伝達する。そのとき、電源制御回路は、メモリ部１７、リモコン赤外線受光部１８および以外の各構成要素に対する電力供給を遮断する。また、電力供給を開始することを電源オンまたは電源をオンするといい、電力供給を遮断することを電源オフまたは電源をオフするということがある。
【００２５】
ユーザが外部入力端子１、外部入力端子２または外部入力端子３に接続された外部接続機器のリモコン操作を行った場合、例えば、外部接続機器に電力供給を開始させるリモコン操作（電源オン操作）を行った場合、リモコン赤外線受光部１８は、外部接続機器に対する電源オン操作のリモコンコードに対応した赤外線信号を受信する。そして、外部接続機器に対する電源オン操作のリモコンコードを制御部１６に出力する。制御部１６は、リモコン赤外線受光部１８から入力したリモコンコードと映像機器のメモリ部１７に格納されているリモコンコードとを比較する。なお、以下、リモコンがリモコンコードに対応した赤外線信号を送信することを、単に、リモコンがリモコンコードを送信すると記載する。また、リモコン赤外線受光部１８がリモコンコードに対応した赤外線信号を受信することを、単に、リモコン赤外線受光部１８がリモコンコードを受信すると記載する。
【００２６】
制御部１６は、入力されたリモコンコードが外部接続機器のリモコンコードである場合には、そのリモコンコードに対応する外部接続機器が、外部入力端子１、外部入力端子２および外部入力端子３のうちのいずれに接続されているかをメモリ部１７に保存されている情報から判定する。
【００２７】
制御部１６が、メモリ部１７に保存されている情報から、外部接続機器が外部入力端子１に接続されているという情報を検出した場合には、外部入力端子１に接続された外部接続機器の電源オンのリモコン操作が行われたと判断する。その場合には、制御部１６は、切り換え回路部１３に対して外部入力端子１の入力を選択する指令信号を出力する。切り換え回路部１３は、信号入力先の外部入力端子を外部入力端子１に切り換え、外部入力端子１が入力する映像信号を映像信号処理回路部１４に出力する。映像信号処理回路部１４は、入力された外部入力端子１からの映像信号を映像表示部１５に出力し、映像表示部１５は、外部入力端子１からの映像信号を画面に表示する。
【００２８】
次に、映像機器の動作を図２を参照して説明する。図２は、映像機器において、外部接続機器のリモコンコードを登録する処理の流れの一例を示す流れ図である。まず、ユーザは、外部接続機器のリモコンコードを映像機器に保存させるときに、リモコンコード登録ボタン１９を押す。制御部１６は、リモコンコード登録ボタン１９が押されたか判定する（ステップＳ１０１）。リモコンコード登録ボタン１９が押されていないと判定した場合には処理の実行を終了する。リモコンコード登録ボタン１９が押されていると判定した場合には、外部入力端子の選択画面を表示する（ステップＳ１０２）。
【００２９】
具体的には、制御部１６は、映像信号処理回路部１４に対して、ユーザに外部接続機器が接続されている外部入力端子を選択させる画面を作成するよう指令信号を出力する。映像信号処理回路部１４は、指令信号に応じて、例えば図３に示す画面のデータを作成して映像表示部１５に出力する。よって、映像表示部１５は、図３に示す画面を表示する。図３は、ユーザに外部接続機器が接続されている外部入力端子を選択させる画面の一例を示す説明図である。図３に示す画面が表示されると、ユーザは、例えば、映像機器のリモコンに設けられている上下ボタンおよび決定ボタンを操作することにより外部接続機器が接続されている外部入力端子を選択する。ここで、例えば、ユーザが外部接続機器を映像機器の外部入力端子１に接続していたとすると、ユーザは、映像機器のリモコン操作により外部入力端子１を選択する。
【００３０】
その結果、制御部１６は外部入力端子１が選択されたと判定する（ステップＳ１０３）。
【００３１】
すると、制御部１６は、映像信号処理回路部１４に対して、外部入力端子１に接続された外部接続機器のリモコンの電源ボタン押下をユーザに促す画面を作成するよう指令信号を出力する。映像信号処理回路部１４は、指令信号に応じて、例えば図４に示す画面のデータを作成して映像表示部１５に出力する。よって、映像表示装置１５は、図４に示す画面を表示する（ステップＳ１０４）。図４は、外部接続機器のリモコンの電源ボタン押下をユーザに促す画面の一例を示す説明図である。
【００３２】
ユーザは、外部入力端子１に接続された外部接続機器のリモコンの電源ボタンを押す。外部接続機器のリモコンは、ユーザによる押下に応じて電源ボタンに対応するリモコンコードを送信する。リモコン赤外線受光部１８は、リモコンコードを受信する（ステップＳ１０５）。ここで、受信した外部接続機器のリモコンコードをリモコンコードＡとする。制御部１６は、外部入力端子１とリモコンコードＡとを対応させてメモリ部１７に登録する（ステップＳ１０６）。
【００３３】
そして、制御部１６は、映像信号処理回路部１４に対して、外部接続機器のリモコンコードの登録が完了したことを知らせる画面を作成するよう指令信号を出力する。映像信号処理回路部１４は、指令信号に応じて、例えば図５に示す画面のデータを作成して映像表示部１５に出力する。よって、映像表示部１５は、図５に示す画面を表示する（ステップＳ１０７）。図５は、外部接続機器のリモコンコードの登録が完了したことを知らせる画面の一例を示す説明図である。このように、制御部１６は、外部接続機器のリモコンコードの登録が完了したことを知らせる画面を映像表示部１５に表示させることによって、ユーザに対して外部接続機器のリモコンコードの登録が完了したことを知らせる。
【００３４】
ユーザが、外部入力端子１ではなく外部入力端子２を選択した場合には、ステップＳ１０８〜Ｓ１１２の処理が実行される。外部入力端子２に関するステップＳ１０８〜Ｓ１１２の処理は、外部入力端子１に関するステップＳ１０３〜Ｓ１０７の処理と同様である。すなわち、ステップＳ１０３〜Ｓ１０７の処理における外部入力端子１を外部入力端子２と読み替えれば、ステップＳ１０８〜Ｓ１１２の処理になる。また、ユーザが、外部入力端子１および外部入力端子２ではなく外部入力端子３を選択した場合には、ステップＳ１１３〜Ｓ１１７の処理が実行される。外部入力端子３に関するステップＳ１１３〜Ｓ１１７の処理は、外部入力端子１に関するステップＳ１０３〜Ｓ１０７の処理と同様である。すなわち、ステップＳ１０３〜Ｓ１０７の処理における外部入力端子１を外部入力端子３と読み替えれば、ステップＳ１１３〜Ｓ１１７の処理になる。
【００３５】
図６は、リモコンコード対比テーブルを示す説明図である。リモコンコード対比テーブルとは、ステップＳ１０６、Ｓ１１１およびＳ１１６の処理によってメモリ部１７に形成されるテーブルである。なお、外部入力端子２に接続された外部接続機器のリモコンコードをリモコンコードＢとし、外部入力端子３に接続された外部接続機器のリモコンコードをリモコンコードＣとする。また、ステップＳ１０６、Ｓ１１１およびＳ１１６の処理の全てが実行されると、図６に示すようなリモコンコード対比テーブルが形成されるが、ステップＳ１０６、Ｓ１１１およびＳ１１６の処理のうちの一部のみが実行された場合には、リモコンコードＡ、リモコンコードＢおよびリモコンコードＣの中でリモコンコード対比テーブルに登録されないものがある。図６において、外部入力端子番号の欄に記憶されるデータが、外部接続機器が接続される外部入力端子を示す第１の情報（外部入力端子情報把握手段が把握した外部入力端子を示す情報である第１の情報）に相当し、リモコンコードの欄に記憶されるデータが、外部接続機器の遠隔指令信号送信器が送信する指令信号を示す第２の情報に相当する。
【００３６】
ユーザが、外部入力端子１、外部入力端子２または外部入力端子３に新たな外部接続機器を接続したい場合には、リモコンコード消去ボタン２０を押して、リモコンコード対比テーブルから外部入力端子１、外部入力端子２または外部入力端子３に対応するリモコンコードを消去し、再度、上記手順に従って外部接続機器のリモコンコードを登録すればよい。
【００３７】
次に、以上のようにユーザが前もってリモコンコードをメモリ部１７に登録した後、ユーザが外部入力端子に接続された外部接続機器の映像を視聴しようとする場合の映像機器の動作を説明する。ここでは、外部入力端子１に接続された外部接続機器の電源ボタンのリモコンコード（ここではリモコンコードＡ）を登録した後、ユーザが、テレビジョン映像視聴中に外部入力端子１に接続された外部接続機器の映像を視聴しようとする場合を例にする。
【００３８】
図７は、外部接続機器のリモコンの電源ボタンを押した場合の処理の一例を示す流れ図である。ユーザは、外部入力端子１に接続された外部接続機器のリモコンの電源ボタンを押す。外部接続機器のリモコンからリモコンコードＡが送信される。よって、外部接続機器の電源が入り、接続された外部入力端子１に映像信号が入力される。映像機器において、リモコン赤外線受光部１８は、リモコンコードＡを受信する。
【００３９】
制御部１６は、受信したリモコンコードＡと、映像機器のテレビジョンチャンネルを切り換えるリモコンコード等の映像機器を制御するリモコンコードとを比較する（ステップＳ２０１）。映像機器を制御するリモコンコードであった場合（「ＹＥＳ」の場合）には、制御部１６は、本処理の実行を終了し、テレビジョンチャンネルを切り換える等の処理を実行する。映像機器を制御するリモコンコードでなかった場合（「ＮＯ」の場合には）、制御部１６は、メモリ部１７に保存されているリモコンコード対比テーブルを参照する（ステップＳ２０２）。
【００４０】
制御部１６は、受信したリモコンコードＡがメモリ部１７に保存されているリモコンコード対比テーブルの中のリモコンコードと一致するか判定する（ステップＳ２０３）。判定結果が一致しなかった場合（「ＮＯ」の場合）には、処理の実行を終了する。制御部１６は、受信したリモコンコードＡがリモコンコード対比テーブルの中のリモコンコードと一致していることを検出した場合（「ＹＥＳ」の場合）、ステップＳ２０４に処理を移行する。
【００４１】
ステップＳ２０４において、制御部１６は、映像機器がスタンバイ状態にあるかを判定する。制御部１６は、例えば映像表示部１５の電源がオンしている場合に、映像機器が電源オン状態と判定する。映像機器が電源オン状態にあると判定した場合には、ステップＳ２０６に移行する。制御部１６は、映像機器がスタンバイ状態にあると判定した場合には、チューナ部１２、切り換え回路部１３、映像信号処理回路部１４および映像表示装置部１５の電源をオンし、映像表示装置１５の画面表示が可能な状態にする（ステップＳ２０５）。その後、ステップＳ２０６に移行する。
【００４２】
ステップＳ２０６では、制御部１６は、切り換え回路部１３に対して、入力すべき信号を外部入力端子１からの信号に切り換える指令信号を出力する。切り換え回路部１３は、指令信号に応じて、入力する信号をチューナ部１２が出力する信号から外部入力端子１からの信号に切り換え、映像信号処理回路部１４に外部入力端子１からの信号を出力する。映像信号処理回路部１４は、外部入力端子１からの信号にもとづく画面を映像表示部１５に画面表示させる。
【００４３】
以上のように、ユーザが、映像機器でチューナ部１２からのテレビジョン映像を視聴中に、外部入力端子１に接続された外部接続機器からの映像を視聴したい場合、ユーザが、外部入力端子１に接続された外部接続機器のリモコンの電源ボタンを押すだけで、映像機器において表示される映像を、自動的にチューナ部１２の映像から、外部接続機器の映像に切り換えさせ、ユーザは外部接続機器の映像を視聴することが可能になる。なお、ここでは、外部入力端子１に接続された外部接続機器を例にしたが、外部入力端子２または外部入力端子３に接続された外部接続機器からの映像を視聴したい場合にも、外部接続機器のリモコンの電源ボタンを押すだけで、外部接続機器の映像を視聴することができる。また、外部入力端子１に接続された外部接続機器の映像を視聴中に、外部入力端子２または３に接続された外部接続機器の映像を視聴したい場合についても同様である。
【００４４】
さらに、映像機器がスタンバイ状態である場合においても、外部接続機器のリモコンの電源ボタン操作（あるいはメモリ部１７に登録してあれば、再生ボタン操作であってもよい）を行うだけで、映像機器の電源操作および外部入力端子の切り換え操作を行うことなく、ユーザが希望する外部接続機器の映像をいち早く視聴することが可能になる。
【００４５】
また、この実施の形態では、外部接続機器のリモコンコードを登録する際に、ユーザにリモコンコード登録ボタンを押下させる。換言すれば、リモコンコード登録ボタンが押下されない限り、映像機器の制御部１６は、外部接続機器のリモコンコードが受信されてもそれを無視し、リモコンコードを登録する制御を開始しない。すると、リモコンコード登録ボタンが存在しない場合、例えば、外部入力端子に信号が入力されたことを検出したり外部接続機器のリモコンコードを受信しただけでリモコンコードを登録する場合に比べて、リモコンコードの誤登録の可能性を低減できる。すなわち、ユーザが意図しないリモコンコードが登録される可能性を低減できる。
【００４６】
実施の形態２．
第１の実施の形態では、制御部１６が、図６に例示されたリモコンコード対比テーブルを参照し、電源オンについて、外部接続装置のリモコン操作にもとづいて制御した。しかし、ユーザは、電源オンされた外部接続機器および映像機器について、外部接続装置のリモコン操作により、電源オフを制御したい場合もある。この実施の形態では、制御部１６は、外部接続装置のリモコン操作にもとづいて電源オフの制御も行う。また、この実施の形態の映像機器の構成は、第１の実施の形態の映像機器の構成と同様である。
【００４７】
図８は、電源オフコードが追加されたリモコンコード対比テーブルの一例を示す説明図である。図８に示す例では、リモコンコード対比テーブルには、外部入力端子番号１に対応してリモコンコードＡ１が登録され、外部入力端子番号２に対応してリモコンコードＢ１が登録され、外部入力端子番号３に対応してリモコンコードＣ１が登録されている。なお、リモコンコードＡ１、リモコンコードＢ１およびリモコンコードＣ１は、第１の実施の形態において説明されたリモコンコードＡ、リモコンコードＢおよびリモコンコードＣについての登録と同様に、外部接続装置から送信されたリモコンコードＡ１、リモコンコードＢ１およびリモコンコードＣ１を入力した制御部１６が、メモリ部１７に登録する。また、この実施の形態では、外部接続装置のリモコンは、電源オンのリモコンコードを送信した後電源ボタンが押下されると電源オフのリモコンコードを送信し、電源オフのリモコンコードを送信した後電源ボタンが押下されると電源オンのリモコンコードを送信するように構成されているとする。さらに、この実施の形態では、外部接続装置のリモコンから送信された電源オフのリモコンコードを入力した場合に、制御部１６は、映像機器の状態を、以前にその外部接続装置のリモコンから送信された電源オンのリモコンコードを入力したときの直前の状態に戻す制御を行う。
【００４８】
電源オフの制御を行う場合に、制御部１６は、メモリ部１７に管理テーブル（後に説明する）を登録する。また、制御部１６は、リモコンコード対比テーブルを参照して、リモコン赤外線受光部１８で受信されたリモコンコードが、電源オフのリモコンコードであるかを判定する。さらに、管理テーブルを参照して、信号を入力すべき外部入力端子を切り替えるかあるいは映像機器の電源をオフするかを判定する。制御部１６は、判定結果にもとづいて、切り替え回路部１６、チューナ部１２、映像信号処理回路部１４および映像指示部１５に指示命令を出す。
【００４９】
管理テーブルはメモリ部１７に記憶されている。管理テーブルには、外部接続機器がどのような順番で電源オンされたかを示す情報と、電源の状態（電源オン状態か電源オフ状態であるか）を示す情報とが登録されている。図９は、管理テーブルの一例を示す説明図である。図９（ａ）には、映像機器が電源オン状態であり、外部接続機器は全て電源オフ状態であることを示す情報が登録された管理テーブルが示されている。図９（ｂ）には、映像機器および外部接続機器は全て電源オフ状態であることを示す情報が登録された管理テーブルが示されている。映像機器が電源オフ状態であるか否かは、例えば、映像表示部１５の電源がオフ状態であるか否かにより判定される。管理テーブルにおける映像機器に関する部分には、電源のオンまたはオフを示す情報だけでなく、テレビジョン映像のチャンネルを示す情報も登録しておくのが好ましい。管理テーブルに登録されている情報により、ユーザは外部接続機器のリモコン操作で電源オフするだけで、映像機器を前の状態に戻すことができ、映像機器の電源オフや当初のテレビジョン映像のチャンネル表示をすることができる。なお、管理テーブルにおける状態の欄に記憶されるデータが、映像機器が待機状態にあるのか映像機器に電力供給がなされている状態であるのかを示す第４の情報に相当し、順番の各欄に記憶されるデータが、外部入力端子の選択順序を示す第３の情報に相当する。
【００５０】
図１０は、管理テーブルの他の例を示す説明図である。図１０（ａ）には、映像機器が電源オン状態後、外部接続機器１が電源オンされたことを示す情報が登録された管理テーブルが示されている。制御部１６は、映像機器が電源オンされた時点で、管理テーブルの外部入力端子番号０の状態欄に「オン」を登録する。制御部１６は、外部接続機器１が電源オンされた（リモコンコードＡが送信された）時点で、図８に示すリモコンコード対比テーブルを参照して、リモコンコードＡが外部入力端子番号１に対応するリモコンコードであると判定し、管理テーブルの外部入力端子番号１の順番欄に「１」を登録し、状態欄に「オン」を登録する。
【００５１】
図１０（ｂ）には、映像機器が電源オフ状態で、最初に外部接続機器１が電源オンされ、続いて外部接続機器２が電源オンされたことを示す情報が登録された管理テーブルが示されている。制御部１６は、外部接続機器１が電源オンされた（リモコンコードＡが送信された）時点で、図８に示すリモコンコード対比テーブルを参照して、リモコンコードＡが外部入力端子番号１に対応するリモコンコードであると判定し、管理テーブルの外部入力端子番号１の順番欄に「１」を登録し、状態欄に「オン」を登録する。制御部１６は、外部接続機器２が電源オンされた（リモコンコードＢが送信された）時点で、図８に示すリモコンコード対比テーブルを参照して、リモコンコードＢが外部入力端子番号２に対応するリモコンコードあると判定し、管理テーブルの外部入力端子番号２の順番欄に「２」を登録し、状態欄に「オン」を登録する。順番欄の数値に関して、映像機器については、デフォルトで「０」が指定されている。外部接続機器については、制御部１６は、電源がオンされた員数に応じて増加させる。しかしながら、制御部１６は、外部接続機器の電源がオフされると、対応する外部入力端子番号の順番欄の数値を「０」に戻す。
【００５２】
次に、ユーザの操作に応じて制御部１６が前もって図８に示すように外部接続機器の電源ボタンのリモコンコード（ここではリモコンコードＡ１、リモコンコードＢ１およびリモコンコードＣ１）をリモコンコード対比テーブルに保存させた後、図１０（ｂ）に示す管理テーブルに応じた状態（映像機器が電源オフ状態で、最初に外部接続機器１が電源オンされ、続いて外部接続機器２が電源オンされた場合）から、外部接続機器１および外部接続機器２の電源をオフしようとした場合を例にして、制御部１６の動作を説明する。
【００５３】
図１１は、第２の実施形態の外部接続機器の電源をオフしようとした場合の処理の一例を示す流れ図である。制御部１６が図１１に示す処理を実行すると、図１２に示すように管理テーブルの内容が変化する。なお、図１２（ａ）に示す内容は、図１０（ｂ）に示す内容と同じである。
【００５４】
図１２（ａ）に示す管理テーブルに応じた状態において、ユーザが、外部入力端子２に接続された外部接続機器のリモコンの電源ボタンを押したとする。その外部接続機器のリモコンは、リモコンコードＢ１を送信する。その外部接続機器のリモコンは、以前に電源ボタンが押下されたことに応じて電源オンを示すリモコンコード（リモコンコードＢ）を送信したはずだからである。リモコンコードＢ１を受信した外部接続機器は、電源をオフする。映像機器において、リモコン赤外線受光部１８は、リモコンコードＢ１を受信し、リモコンコードＢ１を制御部１６に出力する。制御部１６は、図１１に示すステップＳ２０１、ステップＳ２０２、ステップＳ２０３の処理を実行する。図１１に示すステップＳ２０１、ステップＳ２０２、ステップＳ２０３の処理は、図７に示すステップＳ２０１、ステップＳ２０２、ステップＳ２０３の処理と同じである。
【００５５】
制御部１６は、受信したリモコンコードＢ１がリモコンコード対比テーブルの中の電源オフコードと一致するか否か判定する（ステップＳ３０１）。判定結果が「ＹＥＳ」の場合にはステップＳ３０２に進む。判定結果が「ＮＯ」の場合は、処理の実行を終了する。この例では、リモコンコードＢ１はリモコンコード対比テーブル（図８参照）に存在するので、制御部１６は、ステップＳ３０２の処理を実行する。
【００５６】
ステップＳ３０２では、制御部１６は、受信したリモコンコードＢ１に対応する外部入力端子番号と切り替え回路部１３で選択されている現在の外部入力端子番号とが一致するか否か判定する。判定結果が「ＹＥＳ」の場合にはステップＳ３０３に進む。判定結果が「ＮＯ」の場合は、処理の実行を終了する。この例では、リモコンコードＢ１に対応する外部入力端子番号は「２」であり、現在の外部入力端子番号は２であるから（図１２（ａ）参照）、制御部１６は、ステップＳ３０３の処理を実行する。
【００５７】
ステップＳ３０３では、制御部１６は、管理テーブル（この場合には図１２（ａ）に示す管理テーブル）を参照して、他の外部入力端子番号に接続されている全ての外部接続機器の電源がオフであるかを判定する。判定結果が「ＹＥＳ」の場合にはステップＳ３０４に進む。判定結果が「ＮＯ」の場合にはステップＳ３０７に進む。この例では、外部入力端子番号１に対応する電源状態がオンであるから（図１２（ａ）参照）、判定結果が「ＮＯ」の場合に進む。
【００５８】
制御部１６は、管理テーブル（この場合には図１２（ａ）に示す管理テーブル）を参照して、リモコンコードＢ１を送信した外部接続機器に対応する外部入力端子番号の順番番号未満で、しかも状態がオフである外部入力端子番号を選択する。ここでは、リモコンコードＢ１を送信した外部接続機器に対応する外部入力端子番号の順番番号は２であるので、制御部１６は、順番番号１に対応する外部入力端子番号１を選択する。そして、制御部１６は、切り替え回路部１３に、外部入力端子を切り替えることを指示する指令信号を出力する（ステップＳ３０７）。この例では、制御部１６は、信号を入力すべき外部入力端子を、外部入力端子２から外部入力端子１に切り替えるように指示する。その結果、ユーザは、外部入力端子１に接続された外部接続機器からの映像を視聴できるようになる。また、制御部１６は、管理テーブルの外部入力端子番号２に対応する順番を「０」に、状態を「オフ」に設定する。その結果、管理テーブルの内容は、図１２（ｂ）に示すようになる。
【００５９】
次に、図１２（ｂ）に示す管理テーブルに応じた状態において、ユーザが、外部入力端子１に接続された外部接続機器のリモコンの電源ボタンを押したとする。その外部接続機器のリモコンは、リモコンコードＡ１を送信する。その外部接続機器のリモコンは、以前に電源ボタンが押下されたことに応じて電源オンを示すリモコンコード（リモコンコードＡ）を送信したはずだからである。リモコンコードＡ１を受信した外部接続機器は、電源をオフする。映像機器において、リモコン赤外線受光部１８は、リモコンコードＡ１を受信する。
【００６０】
制御部１６は、図８を参照して、リモコンコードＡ１が電源オフコードであると判定し（ステップＳ３０１）、図１２（ｂ）を参照して、受信したリモコンコードＡ１に対応する外部入力端子と切り替え回路部１３で選択されている現在の外部入力端子とが一致していると判定する（ステップＳ３０２）。この場合にはそれらは一致するので、制御部１６は、他の外部入力端子に接続されている全ての外部接続機器の電源がオフ状態であるか否か判定する（ステップＳ３０３）。この場合には全ての外部接続機器の電源はオフ状態であり（図１２（ｂ）参照）、制御部１６は、ステップＳ３０４の処理を実行する。すなわち、制御部１６は、切り替え回路部１３に、信号の入力先をチューナ部に切り替えることを指示する指令信号を出力する（ステップＳ３０４）。切り替え回路部１３は、指示に応じて、信号の入力先をチューナ部に切り替える。そして、制御部１６は、映像機器の電源が初期オフ状態（スタンバイ状態）であったか否かを判定する（ステップＳ３０５）。初期オフ状態とは、最初に電源オンのリモコンコードを送信した外部接続機器がリモコンコードを送信した時点で映像機器がスタンバイ状態であったことを意味する。
【００６１】
図１２（ｂ）に示す管理テーブルにおいて、外部入力端子番号「０」の状態はオフであるので、初期オフ状態であったことになる。そこで、制御部１６は、チューナ部１６、映像信号処理部１４および映像表示部１５の電源をオフするように制御し、映像機器はスタンバイ状態となる（ステップＳ３０６）。また、制御部１６は、管理テーブルの外部入力端子番号１の順番を「０」に設定し、状態を「オフ」に設定する。よって、管理テーブルは、図１２（ｃ）に示すようになる。
【００６２】
図１３は、管理テーブルのさらに他の例を示す説明図である。図１３（ａ）に示す管理テーブルに応じた状態（映像機器が電源オン状態で、最初に外部接続機器２が電源オンされ、続いて外部接続機器１が電源オンされ，続いて外部接続機器３が電源オンされた場合）から、外部接続機器２、外部接続機器１および外部接続機器３の順に電源をオフしようとした場合を例にして、制御部１６の動作を説明する。
【００６３】
図１３（ａ）に示す管理テーブルに応じた状態において、ユーザが、外部入力端子２に接続された外部接続機器のリモコンの電源ボタンを押したとする。その外部接続機器のリモコンは、リモコンコードＢ１を送信する。リモコンコードＢ１を受信した外部接続機器は、電源をオフする。映像機器において、リモコン赤外線受光部１８は、リモコンコードＢ１を受信し、リモコンコードＢ１を制御部１６に出力する。この例では、制御部１６は、ステップＳ２０１、Ｓ２０２、Ｓ２０３、Ｓ３０１、Ｓ３０２およびＳ３０３の処理を実行するが、リモコンコードＢ１に対応する外部入力端子番号は「２」であり、切り替え回路部１３で選択されている現在の外部入力端子番号は「３」であり一致しない。そこで、制御部１６は判定結果を「ＮＯ」にする（ステップＳ３０２）。ここで、制御部１６は、管理テーブルの外部入力端子番号２の順番を「０」に設定し、状態を「オフ」に設定する。その結果、管理テーブルは、図１３（ｂ）に示す状態になる。また、ユーザは、外部入力端子３に接続された外部接続機器からの映像の視聴を継続することになる。
【００６４】
次いで、ユーザが、外部入力端子１に接続された外部接続機器のリモコンの電源ボタンを押したとする。その外部接続機器のリモコンは、リモコンコードＡ１を送信する。リモコンコードＡ１を受信した外部接続機器は、電源をオフする。映像機器において、リモコン赤外線受光部１８は、リモコンコードＡ１を受信し、リモコンコードＢ１を制御部１６に出力する。制御部１６は、ステップＳ２０１、Ｓ２０２、Ｓ２０３、Ｓ３０１、Ｓ３０２およびＳ３０３の処理を実行するが、リモコンコードＡ１に対応する外部入力端子番号は「１」であり、切り替え回路部１３で選択されている現在の外部入力端子番号は「３」であり一致しない。そこで、制御部１６は判定結果を「ＮＯ」にする（ステップＳ３０２）。ここで、制御部１６は、管理テーブルの外部入力端子番号１の順番を「０」に設定し、状態を「オフ」に設定する。その結果、管理テーブルは、図１３（ｃ）に示す状態になる。また、ユーザは、外部入力端子３に接続された外部接続機器からの映像の視聴を継続することになる。
【００６５】
次に、ユーザが、外部入力端子３に接続された外部接続機器のリモコンの電源ボタンを押したとする。その外部接続機器のリモコンは、リモコンコードＣ１を送信する。リモコンコードＣ１を受信した外部接続機器は、電源をオフする。制御部１６は、ステップＳ２０１、Ｓ２０２、Ｓ２０３、Ｓ３０１、Ｓ３０２およびＳ３０３の処理を実行するが、リモコンコードＣ１に対応する外部入力端子番号は「３」であり、切り替え回路部１３で選択されている現在の外部入力端子番号は「３」であり一致する。そこで、制御部１６は、判定結果を「ＹＥＳ」と選択する（ステップＳ３０２）。他の全ての外部入力端子に関し、電源状態はオフである。制御部１６は判定結果を「ＹＥＳ」にする（ステップＳ３０３）。そして、制御部１６は、ステップＳ３０４の処理を実行する。すなわち、制御部１６は、切り替え回路部１３に、信号の入力先をチューナ部に切り替えることを指示する指令信号を出力する（ステップＳ３０４）。切り替え回路部１３は、指示に応じて、信号の入力先をチューナ部に切り替える。また、映像機器の電源が初期オフ状態（スタンバイ状態）でなかったので（図１３（ａ）等参照）、映像機器の電源をオフしない（ステップＳ３０５）。そして、制御部１６は、管理テーブルの外部入力端子番号３の順番を「０」に設定し、状態を「オフ」に設定する。その結果、管理テーブルは、図１３（ｄ）に示す状態になる。また、映像機器の状態は、ユーザがチューナ部１２の映像を視聴できる状態に戻る。
【００６６】
第２の実施形態では、外部接続機器のリモコンの電源オフ操作を行うだけで、他の外部接続機器への映像の切り替えやチューナ部への映像切り替えが行われ、映像機器の電源オフ操作もできる。具体的には、外部接続機器のリモコンから受信されたリモコンコードが電力供給停止を示す指令信号（電源オフのリモコンコード）である場合に、制御部１６は、メモリ部１７に記憶されている第３の情報が示す選択順序を逆方向にたどって特定される外部入力端子であって、外部接続機器が接続されている外部入力端子以外の他の外部入力端子（具体的には、リモコンコードを送信したリモコンに対応する外部接続機器に対応付けられている外部入力端子以外の外部入力端子であって、メモリ部１７において電源オンの情報が対応付けられている外部入力端子）を選択するように切り替え回路部１３に指示を与えることによって、切り替え回路部１３に、選択状態を元の状態に戻させることができる。また、制御部１６は、第３の情報が示す選択順序を逆方向にたどって特定される外部入力端子が存在せず、かつ、第４の情報が映像機器に電力供給がなされている状態であることを示しているときには、チューナ部１２を、映像表示部１５が表示する映像のもとになる信号が入力される手段として選択するように切り替え回路部１３に指示を与え、第３の情報が示す選択順序を逆方向にたどって特定される他の外部入力端子が存在せず、かつ、第４の情報が映像機器が待機状態にあることを示しているときには、映像機器を待機状態に設定する。
【産業上の利用可能性】
【００６７】
本発明は、複数の外部入力端子を有するリモコン操作型の電子機器に適用可能である。
【図面の簡単な説明】
【００６８】
【図１】第１の実施形態のテレビジョン受信機の回路構成を示すブロック図である。
【図２】外部接続機器のリモコンコードを登録する処理の流れの一例を示す流れ図である。
【図３】ユーザに外部接続機器が接続されている外部入力端子を選択させる画面の一例を示す説明図である。
【図４】外部接続機器のリモコンの電源ボタン押下をユーザに促す画面の一例を示す説明図である。
【図５】外部接続機器のリモコンコードの登録が完了したことを知らせる画面の一例を示す説明図である。
【図６】リモコンコード対比テーブルの一例を示す説明図である。
【図７】外部接続機器のリモコンの電源ボタンを押した場合の処理の一例を示す流れ図である。
【図８】電源オフコードが追加されたリモコンコード対比テーブルの一例を示す説明図である。
【図９】管理テーブルの一例を示す説明図である。
【図１０】管理テーブルの他の例を示す説明図である。
【図１１】第２の実施形態における外部接続機器の電源をオフしようとした場合の処理の一例を示す流れ図である。
【図１２】管理テーブルのさらに他の例を示す説明図である。
【図１３】管理テーブルのさらに他の例を示す説明図である。
【符号の説明】
【００６９】
１，２，３  外部入力端子
１１    アンテナ
１２    チューナ部
１３    切り替え回路部
１４    映像信号処理回路部
１５    映像表示部
１６    制御部
１７    メモリ部
１８    リモコン赤外線受光部
１９    リモコンコード登録ボタン
２０    リモコンコード消去ボタン
２２    双方向バス
【図１】
0004454556.tif 000002
【図２】
0004454556.tif 000003
【図３】
0004454556.tif 000004
【図４】
0004454556.tif 000005
【図５】
0004454556.tif 000006
【図６】
0004454556.tif 000007
【図７】
0004454556.tif 000008
【図８】
0004454556.tif 000009
【図９】
0004454556.tif 000010
【図１０】
0004454556.tif 000011
【図１１】
0004454556.tif 000012
【図１２】
0004454556.tif 000013
【図１３】
0004454556.tif 000014